(57)【要約】【課題】ユーザの現在位置に応じて撮影スポット等の撮影対象情報を適切に提供することが可能な情報出力装置及び端末機器並びに情報出力システムを提供することである。【解決手段】このカメラ１０は、撮影部１２により画像を取得し、取得された画像に関連する位置を示す画像関連位置を、目的地情報部１８で取得する。また、現在位置検出部１７で現在位置を取得する。そして、上記画像関連位置情報と上記現在位置情報とに基づいた撮影対象候補情報を、表示部１９に出力する。【選択図】      図１
2010141432.tif 000002
【特許請求の範囲】
【請求項１】
画像を取得する画像取得手段と、
上記画像取得手段で取得された画像に関連する位置を示す画像関連位置を取得する画像関連位置取得手段と、
現在位置を取得する現在位置取得手段と、
上記画像関連位置情報と、上記現在位置情報とに基づいて撮影対象候補情報を出力する出力手段と、
を具備することを特徴とする情報出力装置。
【請求項２】
上記出力手段は、地図情報と共に撮影対象候補情報を表示することを特徴とする請求項１に記載の情報出力装置。
【請求項３】
上記出力手段は、上記画像関連位置と上記現在位置との間の距離に基づいて、出力する撮影対象候補情報を変更することを特徴とする請求項１に記載の情報出力装置。
【請求項４】
上記出力手段は、上記画像関連位置と上記現在位置との間が所定距離以内の場合には、上記画像関連位置周辺の撮影対象候補情報を出力することを特徴とする請求項３に記載の情報出力装置。
【請求項５】
上記撮影対象候補情報は、撮影位置と撮影方向とを含むことを特徴とする請求項４に記載の情報出力装置。
【請求項６】
上記出力手段は、上記画像関連位置と上記現在位置との間が所定距離以上離間している場合には、上記画像関連位置と上記現在位置との間に位置する撮影対象候補情報を出力することを特徴とする請求項３に記載の情報出力装置。
【請求項７】
画像を取得する撮像部と、
上記撮像部で取得された画像に関連する位置を示す画像関連位置を取得する画像関連位置取得手段と、
現在位置を取得する現在位置取得手段と、
上記画像関連位置情報と、上記現在位置情報とに基づいて撮影対象候補情報を表示する表示部と、
を具備することを特徴とする端末機器。
【請求項８】
上記画像関連位置情報と上記現在位置情報とに基づいて、該当する撮影対象候補情報を検索する検索手段を更に具備し、
上記表示部は上記検索手段で検索された撮影対象候補情報を表示することを特徴とする請求項７に記載の端末機器。
【請求項９】
上記表示部は、上記撮影対象候補情報と共に地図情報を表示することを特徴とする請求項７に記載の端末機器。
【請求項１０】
上記表示部は、上記画像関連位置と上記現在位置との間の距離に基づいて、表示される撮影対象候補情報を変更することを特徴とする請求項７に記載の端末機器。
【請求項１１】
上記表示部は、上記画像関連位置と上記現在位置との間が所定距離以内の場合には、上記画像関連位置周辺の撮影対象候補情報を表示することを特徴とする請求項１０に記載の端末機器。
【請求項１２】
上記撮影対象候補情報は、少なくとも撮影位置と撮影方向とを含むことを特徴とする請求項１１に記載の端末機器。
【請求項１３】
上記表示部は、上記画像関連位置と上記現在位置との間が所定距離以上離間している場合には、上記画像関連位置と上記現在位置との間に位置する撮影対象候補情報を表示することを特徴とする請求項１０に記載の端末機器。
【請求項１４】
上記表示部は、上記撮影対象候補情報が複数存在する場合は複数の撮影対象候補情報を表示することを特徴とする７乃至１３の何れか１項に記載の端末機器。
【請求項１５】
上記撮影対象候補情報を予め記憶している記憶手段を更に具備することを特徴とする請求項７に記載の端末機器。
【請求項１６】
画像を取得する撮像部と、現在位置を取得する現在位置取得手段と、上記撮像部で取得された画像と上記現在位置取得手段で取得された現在位置情報とを外部に送信すると共に該外部からの情報を受信する通信部と、該通信部で受信された情報を表示する表示部と、を有する携帯端末機器と、
上記携帯端末機器から送信された上記画像に関連する位置を示す画像関連位置情報を取得し、上記画像関連位置情報と上記現在位置情報とに基づいて撮影対象候補情報を上記携帯端末機器に出力するサーバ端末機器と、
を具備することを特徴とする情報出力システム。
【請求項１７】
上記サーバ端末機器は、上記画像関連位置情報と上記現在位置情報とに基づいて、該当する撮影対象候補情報を検索し、該検索された撮影対象候補情報を上記携帯端末機器に出力し、
上記携帯端末機器は、上記サーバ端末機器から出力された上記撮影対象候補情報を上記表示部に表示する
ことを特徴とする請求項１６に記載の情報出力システム。
【請求項１８】
上記サーバ端末機器は、上記撮影対象候補情報と共に地図情報を上記携帯端末機器に出力し、
上記表示部は、上記撮影対象候補情報と共に上記地図情報を表示する
ことを特徴とする請求項１７に記載の情報出力システム。
【請求項１９】
上記サーバ端末機器は、上記画像関連位置と上記現在位置との間の距離に基づいて、上記撮影対象候補情報を変更することを特徴とする請求項１７に記載の情報出力システム。
【請求項２０】
上記サーバ端末機器は、上記画像関連位置と上記現在位置との間が所定距離以内の場合には、上記画像関連位置周辺の撮影対象候補情報を上記携帯端末機器に出力することを特徴とする請求項１７に記載の情報出力システム。
【請求項２１】
上記撮影対象候補情報は、少なくとも撮影位置と撮影方向とを含むことを特徴とする請求項１７に記載の情報出力システム。
【請求項２２】
上記サーバ端末機器は、上記画像関連位置と上記現在位置との間が所定距離以上離間している場合には、上記画像関連位置と上記現在位置との間に位置する撮影対象候補情報を上記携帯端末機器に出力することを特徴とする請求項１７に記載の情報出力システム。
【請求項２３】
上記表示部は、上記撮影対象候補情報が複数存在する場合は複数の撮影対象候補情報を表示することを特徴とする１６乃至２２の何れか１項に記載の情報出力システム。
【発明の詳細な説明】
【技術分野】
【０００１】
本発明は情報出力装置及び端末機器並びに情報出力システムに関し、より詳細には、撮影したい場所での撮影のための情報を提供することの可能な情報出力装置に関するものである。
【背景技術】
【０００２】
これまで、車載関係では、目的地にスムーズに到着するためのナビゲーションの技術が発達し、地図上に様々な情報を表示して、運転者が快適なドライブをすることができるような技術の開発が活発であった。しかしながら、こうした地図は、目的地に無事に快適に到着するだけでなく、目的地に行きたくなるような工夫によって、更にユーザの生活を豊かにすることが可能となる。
【０００３】
これまで、下記特許文献１乃至４のような技術が知られていた。
【０００４】
特許文献１には、撮像画像から目的地を抽出してナビゲーションする技術が開示されている。また、特許文献２には、周辺地域の施設を表示する技術が開示されている。更に、特許文献３には、途中の観光スポットをナビゲーションする技術が開示されている。そして、特許文献４には、ガイド情報を取得するデジタルカメラの技術が開示されている。
【特許文献１】特開２００５−１４０６３６号公報
【特許文献２】特開２００６−３９６３号公報
【特許文献３】特開２００３−３２２５４０号公報
【特許文献４】特開２００４−２９７１７５号公報
【発明の開示】
【発明が解決しようとする課題】
【０００５】
しかしながら、上記特許文献１乃至４に記載の技術の多くは、ユーザが必要としない情報まで表示してしまうので、ユーザの行動を抑制するといった副作用がある。つまり、カメラの液晶画面は小さいので、いろんな情報全てを表示すると、個々の情報が不十分になるので、アドバイス情報を取捨選択することが重要となる。したがって、カメラのように迅速な行動が必要な、シャッタチャンスを逃すわけにはいかない装置においては、更なる改良が必要であった。
【０００６】
したがって、本発明は上記実情に鑑みてなされたものであり、その目的は、ユーザの現在位置に応じて撮影スポット等の撮影対象情報を適切に提供することが可能な情報出力装置及び端末機器並びに情報出力システムを提供することである。
【課題を解決するための手段】
【０００７】
すなわち本発明は、画像を取得する画像取得手段と、上記画像取得手段で取得された画像に関連する位置を示す画像関連位置を取得する画像関連位置取得手段と、現在位置を取得する現在位置取得手段と、上記画像関連位置情報と、上記現在位置情報とに基づいて撮影対象候補情報を出力する出力手段と、を具備することを特徴とする。
【０００８】
また本発明は、画像を取得する撮像部と、上記撮像部で取得された画像に関連する位置を示す画像関連位置を取得する画像関連位置取得手段と、現在位置を取得する現在位置取得手段と、上記画像関連位置情報と、上記現在位置情報とに基づいて撮影対象候補情報を表示する表示部と、を具備することを特徴とする。
【０００９】
更に本発明は、画像を取得する撮像部と、現在位置を取得する現在位置取得手段と、上記撮像部で取得された画像と上記現在位置取得手段で取得された現在位置情報とを外部に送信すると共に該外部からの情報を受信する通信部と、該通信部で受信された情報を表示する表示部と、を有する携帯端末機器と、上記携帯端末機器から送信された上記画像に関連する位置を示す画像関連位置情報を取得し、上記画像関連位置情報と上記現在位置情報とに基づいて撮影対象候補情報を上記携帯端末機器に出力するサーバ端末機器と、を具備することを特徴とする。
【発明の効果】
【００１０】
本発明によれば、ユーザの現在位置に応じて撮影スポット等の撮影対象情報を適切に提供することが可能な情報出力装置及び端末機器並びに情報出力システムを提供することができる。
【発明を実施するための最良の形態】
【００１１】
以下、図面を参照して本発明の実施形態について説明する。
【００１２】
（第１の実施の形態）
次に第１の実施の形態について説明する。
【００１３】
図１（ａ）は、本発明の第１の実施形態を示すもので、本発明のカメラが適用されたカメラシステムのブロック構成図である。
【００１４】
図１（ａ）に於いて、情報出力システムとしてのカメラシステム１は、携帯端末機器（情報出力装置）であるカメラ１０と、サーバ端末機器であるサーバ４０とを有して構成される。
【００１５】
カメラ１０は、制御部１１と、撮影部１２と、時計部１３と、記録部１４と、操作部１５と、現在位置検出部１７と、目的地情報部１８と、表示部１９と、通信部２０と、を有して構成される。
【００１６】
制御部１１は、このカメラ１０全体の制御動作を司る演算制御手段及び後述する撮影スポットを検索するための検索手段を有して成る。この制御部１１は、その内部に、現在位置検出部１７と目的地情報部１８によって得られた現在位置と目的地位置の差異を判定して、表示部１９への表示情報切り替えを行う表示情報切替部１１ａを有している。
【００１７】
撮影部１２は図示されない被写体像を撮影するための画像取得手段（撮像部）であり、時計部１３はこのカメラに内蔵される時計機能であり、時刻情報を取得するためのものである。上記撮影部１２で撮影された撮影画像データは、その撮影が行われた時の時計部１３の計時結果と共に、記録部１４に記録される。
【００１８】
記録部１４は、上述したように、撮影部１２にて撮影された画像データや時計部１３の計時結果を記録する。また、記録部１４はデータベース（ＤＢ）１４ａを有するもので、このデータベース１４ａは通信部２０を介して、例えばサーバ４０より受信した画像等の情報を記憶する記憶手段である。
【００１９】
操作部１５は、例えばレリーズスイッチ等の各種スイッチから構成されるもので、内部の操作判定部１５ａによってその操作が検出されて判定される。この判定結果は制御部１１に出力される。
【００２０】
現在位置検出部１７は、その撮影を行ったポイント、またはそのネットワーク３５に接続した位置を、ユーザが入力した結果を判定したり、ＧＰＳ等のセンサを利用して検出したりする現在位置取得手段である。また、目的地情報部１８は、上記データベース１４ａやサーバ４０から得られたデータから、関連する目的地情報を取得するためのもの画像関連位置取得手段である。
【００２１】
上記表示部１９は、例えば、液晶パネル等の表示手段（出力手段）により構成されるもので、撮影部１２にて撮影された画像や通信部２０を介して、例えばサーバ４０より受信した画像等が表示される。また、通信部２０は、例えばワイヤレスＬＡＮ等から成るもので、ネットワーク３５を介してサーバ４０と交信して情報を授受するための通信手段である。
【００２２】
図１（ｂ）に示されるように、カメラ１０によってポスター２２等を撮影する場合、そのポスター２２が有する画像そのものやＱＲコードによって、データベース１４ａの検索が行われる。すると、この撮影結果に従って、そのポスター２２の写真撮影が行われた場所が検索されて、表示部１９にその場所が表示されるようになっている。こうした操作は、ユーザが操作部１５を操作することによって行われる。
【００２３】
また、上記データベース１４ａにデータが存在しない場合は、通信部２０を介してネットワーク３５に接続し、サーバ４０と交信して、情報を得るようにしてもよい。この撮影を行ったポイント、またはそのネットワークに接続した位置は、上述したように、ユーザが操作部１５で入力した結果を判定したり、現在位置検出部１７とデータベース１４ａやサーバ４０から得られたデータから取得される。取得された目的地情報は、表示部１９の画面上に表示される。
【００２４】
このようにして、ポスター２２を撮影すると、この媒体に含まれる画像やＱＲコード等の埋め込み情報より、得られた場所（図１（ｂ）の場合、「○○まつり」が行われる場所）に行くための補助情報が、カメラの表示部１９に表示される。その情報は、図１（ｂ）に示されるような地図情報２３であり、この場合、図中星印が現在位置であって、丸印が目的地である。
【００２５】
尚、ここでは、埋め込み情報を得るための媒体をポスター２２として説明したが、これに限られるものではなく、例えばガイドブック等であってもよい。
【００２６】
次に、図２のフローチャートを参照して、本実施形態に於けるカメラを使用した撮影（情報取得及び表示）の動作について説明する。
【００２７】
初めに、カメラ１０で全ての撮影処理を行う場合の動作について説明する。
【００２８】
本シーケンスが開始されると、先ず、ステップＳ１にて、ポスター２２が撮影される。ここで、その場所の位置が取得されると、ポスター画像から得られる情報によって、続くステップＳ２にて、ユーザが行きたい目的地が判定される。次いで、ステップＳ３に於いて、目的地が現地点から遠いか近いかによって、図３に示されるように、カメラ１０に表示される地図情報、撮影補助データが切り替えられる。
【００２９】
図３（ａ）は地図のどの部分が表示されるかを示すための地図情報２３を示した図であり、（ｂ）〜（ｄ）は実際にカメラ１０の表示部１９に表示される表示例を示した図である。
【００３０】
図３（ｂ）の地図情報２３ａは、（ａ）の地図情報２３と略同じ範囲を示しており、（ｃ）の地図情報２３ｂは（ａ）の破線内を示し、（ｄ）の地図情報２３ｃは（ａ）の丸印の場所を示している。
【００３１】
図３に於いて、例えば、図中２５ａ、２５ｂ、２５ｃは、本実施形態に於いて特に重要である、ポスター２２やガイドブックに掲載されていた画像の撮影場所（丸印２４）以外のお勧め撮影ポイントを表す星印である。この星印２５ａ、２５ｂ、２５ｃは、現地点からの距離や撮影場所によって、以下のように表示されたり、非表示となったりする。
【００３２】
例えば、現地点から所定距離、この場合１０ｋｍ以上の遠い場所であれば、ステップＳ３からステップＳ５に移行して、図３（ｂ）に示されるような地図表示が行われる。この場合、ユーザは目的地の撮影場所（丸印２４）に行くだけで精一杯であると考えられる。そこで、星印２５ｂ、２５ｃのように途中で寄り道して、それより先に行けなくなることを防ぐために、行きたいと思った、そのユーザの要望（丸印２４）を最優先にして表示するようにしている。この場合、破線で示されている星印２５ｂ、２５ｃは非表示となっており、丸印２４に近接した星印２５ａのみが表示されている。
【００３３】
勿論、詳細表示等の操作によって、非表示である星印を表示するようにしてもよい。
【００３４】
ここでは、途中に撮影スポットがあっても、あえて非表示にして、目的地の場所（丸印２４）と、その近くにある撮影スポット（星印２５ａ）のみを表示して、目的地の場所にどうやって行くか、或いは、そこに行けば何があるかなどをシンプルに伝え、ユーザを混乱させないようにしている。
【００３５】
尚、表示部１９の画面中の２７ａ、２７ｂ、２７ｃは、表示されるべく画像の例である。
【００３６】
一方、上記ステップＳ３にて、所定距離（この場合１０ｋｍ）より近い位置と判定された場合は、ステップＳ４に移行して撮影場所についての判定が行われる。
【００３７】
ポスター２２やガイドブックの写真が何処で撮られたかが知りたい場合は、ステップＳ４からステップＳ６へ移行して、図３（ｃ）に示されるように、ポスター２２やガイドブックの写真（撮影部で撮影した写真）に関連付けられた撮影対象候補である、目的地までの途中に存在するお勧め撮影スポット（星印２５ｄ、２５ｅ）も表示するようにしている。これは、目的地の場所（丸印２４）に近いので、ユーザはアクセス容易で、時間にも余裕がある状態と考えられるので、周りの被写体も忘れずに撮影してほしい、という考え方による。
【００３８】
更に、ユーザが目的地の場所の近くまで来ていて、ユーザが再度、ガイドブック等を撮影した場合は、ステップＳ４からステップＳ７へ移行して、図３（ｄ）に示されるような表示が行われる。
【００３９】
つまり、ユーザは目的地の場所に着いているのに、どうしてもガイドブックと同じ風景が見つからない状況と考えられる。そのため、余計な情報は出力せず、どっちの方角に向かって撮影されたかといった、もっと詳細な情報を出力するようにしている。図３（ｄ）の例の場合、矢印２６の表示と共に、「南向きの撮影」という文字を表示部１９に表示することにより、ユーザに情報を伝えるようにしている。この場合、こうした情報は、データベース１４ａや、サーバ４０上に持つこととする。
【００４０】
こうして、情報の表示が行われたならば、本シーケンスが終了する。
【００４１】
尚、表示情報の取捨選択は、カメラの制御部１１及び表示情報切替部１１ａで行ってもよいし、サーバ４０が補助を行ってもよい。或いは、ユーザ自身の操作によって行うようにしてもよい。
【００４２】
つまり、ここでは、撮影したい目的地と、ユーザがそれを撮影したいと思った位置によって、そこに行くまでの難易度や、ユーザが道に迷った状態などを推定して、撮影お勧めポイントの表示を切り替える。これにより、ユーザを確実に行きたい場所に導くと共に、遠くの目的地では、その近くにある撮影スポットを表示して、ユーザの行って見たい気持ちをかきたてる。また、近くの目的地では、目的地と共に、途中にある撮影スポットも表示して、見られるチャンスのあるものを表示し、見逃しを対策する。また、ユーザが道に迷った状況では、とにかく、撮影したいものが何処から、どの方向で撮ったかなどを表示するようにする。
【００４３】
勿論、撮影時に露出補正を行ったか、画角をどのように設定したかなど、詳細情報を併記するようにしてもよい。
【００４４】
（第２の実施形態）
次に、本発明の第２の実施形態について説明する。
【００４５】
上述した第１の実施形態では、カメラ１０で全ての撮影処理を行う例について説明したが、本第２の実施形態では、ネットワークを介してカメラ１０とサーバ４０により撮影処理動作を行う例について説明する。
【００４６】
尚、以下に述べる第２の実施形態に於いて、カメラ１０を含むカメラシステム１の構成及び基本的な動作については、図１乃至図４に示される上述した第１の実施形態のカメラシステム１の構成及び動作と同じであるので、これらの構成及び動作については、同一の部分には同一の参照番号を付して、その図示及び説明は省略するものとし、異なる動作についてのみ説明する。
【００４７】
図４及び図５のフローチャートを参照して、本実施形態に於いてカメラとサーバが通信を行う場合の撮影（情報取得及び表示）の動作について説明する。
【００４８】
図４はカメラ側の動作を説明するためのフローチャートであり、図５はサーバ側の動作を説明するためのフローチャートである。
【００４９】
本シーケンスが開始されると、先ず、ステップＳ１１にて、カメラ１０によってポスター２２等の被写体が撮影される。次いで、ステップＳ１２にて、上記ステップＳ１１で撮影された画像が保存されると共に、現在位置検出部１７で撮影位置の情報が取得される。そして、ステップＳ１３にて、上記撮影された画像と取得された撮影位置とが、ネットワーク３５を介してウェブサーバ（サーバ４０）に送信される。
【００５０】
これにより、ウェブサーバ側では、ステップＳ３１にて、上記撮影画像と撮影位置情報が受信される。すると、続くステップＳ３２にて、撮影画像の特徴点抽出が行われる。そして、ステップＳ３３にて、上記ステップＳ３２で抽出された特徴点が検索キーとして、ウェブサーバ内のデータベースが検索される。
【００５１】
次いで、ステップＳ３４に於いて、上記ステップＳ３３での検索結果の有無が判定される。ここで、特徴点が似たデータが存在しない場合は、ステップＳ４３に移行して、画像キーワード＝０、すなわち、特徴点が似たデータは存在しないことがカメラ１側に送信される。一方、特徴点が似たデータが存在すれば、ステップＳ３５に移行して、カメラ１０に特徴点があったことが通知される。
【００５２】
カメラ１０側では、ステップＳ１４にてサーバ４０から画像キーワードの有無が受信される。そして、続くステップＳ１５に於いて、画像キーワードの有無が判定される。ここで、画像キーワードが無い場合は、ステップＳ２２に移行して、上記特徴点が似たデータが存在しない旨の指示がなされる。従って、続くステップＳ２３にて、例えば表示部１９に、「別構図で撮影」といったメッセージが表示される。この場合、ユーザに対して、別の写真を撮影するように促している。その後、上記ステップＳ１１へ移行する。
【００５３】
一方、上記ステップＳ１５にて、画像キーワードが存在したと判定されると、ステップＳ１６のデータ待ちフェーズに移行する。ここで、サーバ４０からデータがこなければ、本シーケンスが終了する。
【００５４】
サーバ４０側では、ステップＳ３６によって、特徴点が似た画像に付随する位置情報が抽出され、その位置情報が目的地として設定される。次いで、ステップＳ３７にて、設定された位置とカメラから受信した撮影位置とから、目的地までの経路が複数探索される。そして、ステップＳ３８に於いて、上記ステップＳ３７で探索された経路が、例えば予め設定された距離（例えば、１０ｋｍ）以上離れているかどうかが判定される。
【００５５】
ここで、上記設定距離以上離れていれば、ステップＳ３９へ移行して、目的地周辺のみで撮影された画像があるかどうかが、制御部１１によってサーバ４０内のデータベースが検索される。その結果、目的地周辺に撮影スポットがあれば、ステップＳ４１に移行して、当該撮影スポットが撮影スポット地点として設定され、その撮影スポットで撮影された画像データや撮影設定情報も同時に設定される。尚、撮影スポットは複数あっても構わない。
【００５６】
ところで、上記ステップＳ３８に於いて、撮影位置と目的地とが設定距離以内であれば、ステップＳ４０に移行する。そして、このステップＳ４０にて、探索された経路途中での撮影スポットがあるか否かが、制御部１１によってサーバ４０内のデータベースで検索される。
【００５７】
上記ステップＳ３９及びＳ４０にて、撮影スポットが見つからなければ、ステップＳ４４に移行して、目的地までの経路情報のみカメラ１０に送信される。これに対して、撮影スポットがあれば、上記ステップＳ４１からＳ４２に移行して、経路情報と共に撮影スポット情報と撮影設定清報、画像データも併せてカメラ１０へ送信される。
【００５８】
その後、カメラ１０側では、ステップＳ１７にて、サーバ４０からのデータが受信されると、続くステップＳ１８に於いて、撮影スポットの有無が判定される。ここで、撮影スポット情報があれば、ステップＳ１９及びＳ２０に移行して、目的地までの経路及び地図と共に、撮影スポットがアイコン表示または画像データや撮影方向等が、表示部１９に表示される。一方、撮影スポット情報がなければ、ステップＳ２１へ移行して、経路と地図情報のみが表示部１９に表示される。
【００５９】
尚、地図情報はカメラ１０側に有していてもよいし、サーバ４０側で地図情報と経路情報、撮影スポット情報を関連付けてまとめてカメラ１０に送信するようにしてもよい。或いは、上述した第１の実施形態のように、サーバ機能をカメラ内部に有していてもよい。
【００６０】
このように、カメラの表示部等の小さな液晶部に有効に情報を出力するためには、こうした工夫が重要になる。こうした工夫を行わないと、図３（ｂ）〜（ｄ）に示される画像例等が煩雑となり、ユーザが混乱する要因となる。
【００６１】
以上説明したように、シーンに応じて撮影ポイントに行くための情報や、行きたくなる情報や撮影に際しての情報を取捨選択して表示して、ユーザを的確に導いて、補助することが可能となる。
【００６２】
（変形例）
次に、本発明の第２の実施形態の変形例について説明する。
【００６３】
上述した第２の実施形態では、ステップＳ１５の画像キーワードの判定にて、画像キーワードが無い場合は、ユーザに対して別の写真を撮影するように促しているが、これに限られるものではない。本変形例では、画像キーワードが無い場合は、新たなキーワードを入力して地図情報等を表示するようにしている。
【００６４】
図６及び図７のフローチャートを参照して、本第２の実施形態の変形例に於いてカメラとサーバが通信を行う場合の撮影（情報取得及び表示）の動作について説明する。
【００６５】
尚、以下に述べる第２の実施形態の変形例に於いて、カメラ１０を含むカメラシステム１の構成及び基本的な動作については、図１乃至図５に示される上述した第１及び第２の実施形態のカメラシステム１の構成及び動作と同じであるので、これらの構成及び動作については、同一の部分には同一の参照番号を付して、その図示及び説明は省略するものとし、異なる動作についてのみ説明する。
【００６６】
図６は第２の実施形態の変形例に於いてカメラ側の動作を説明するためのフローチャートであり、図７はサーバ側の動作を説明するためのフローチャートである。尚、図６のフローチャートのステップＳ５１〜Ｓ６２と、図７のフローチャートのステップＳ７１〜Ｓ８３の処理動作は、上述した図４のフローチャートのステップＳ１１〜Ｓ２２と、図５のフローチャートのステップＳ３１〜Ｓ４３と、それぞれ同じ動作であるので、対応するステップ番号を参照してここでの説明は省略するものとする。
【００６７】
本シーケンスが開始されて、ステップＳ５５に於いて画像キーワードが無いと判定された場合は、ステップＳ６２に移行して、上記特徴点が似たデータが存在しない旨の指示がなされる。したがって、続くステップＳ６３にて、新たなキーワードの入力、或いは音声認識により新たなキーワードの入力がなされて、関連付けが行われる。そして、続くステップＳ６４にて、上記ステップＳ６３で入力された新たなキーワードがサーバ４０に送信された後、ステップＳ５６のデータ待ちフェーズに移行する。
【００６８】
サーバ４０側では、ステップＳ８４に於いて、カメラ１０側から送信されたキーワードの追加の有無が判定される。ここで、追加される場合はステップＳ７６に移行し、追加されない場合は上記ステップＳ７１に移行する。
【００６９】
このようにしても、上述した第２の実施形態と同様に、シーンに応じて撮影ポイントに行くための情報や、行きたくなる情報や撮影に際しての情報を取捨選択して表示して、ユーザを的確に導いて、補助することが可能となる。
【００７０】
上述した実施形態によれば、撮影したい場所での撮影のための情報を提供して、わざわざ遠くに行ってでも撮影したいというユーザのモチベーションを高め、更に撮影場所に迅速に向かうための必要、且つシンプルな情報を提供することによって混乱をなくし、尚かつ、撮影場所に近付いた時点に於いては確実に見たいシーンをアドバイスできるカメラを提供することができる。上述したように、カメラの液晶部は小さいので、何でも表示すると個々の情報が不十分になるので、アドバイス情報を取捨選択することが重要であるが、そのような問題も対策している。
【００７１】
また、何処かに行って写真撮影をしたい場合、ユーザは、ポスターやガイドブックを見て撮影に出かけるが、そこに行く方法が分からなかったり、行っても写真撮影のべストポイントが分からかったりする等、不満が多かったが、上述した実施形態によれば、ユーザに、単純明快に、その撮影スポット（ポスターやガイドブックの撮影が行われた場所）へのアクセス情報を提供することができ、ユーザの現在位置に応じて撮影スポット等の撮影対象情報を、ユーザに対して適切に提供することが可能であるため、その場所に到着してから、他の撮影スポットを見逃すようなことはない。
【００７２】
以上、本発明の実施形態について説明したが、本発明は上述した実施形態以外にも、本発明の要旨を逸脱しない範囲で種々の変形実施が可能である。
【００７３】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００７４】
【図１】本発明の第１の実施形態を示すもので、（ａ）は本発明のカメラが適用されたカメラシステムのブロック構成図（ｂ）は（ａ）のカメラによってポスターを撮影する例を示した図である。
【図２】本発明の第１の実施形態に於けるカメラを使用した撮影（情報取得及び表示）の動作について説明するためのフローチャートである。
【図３】カメラ１０に表示される地図情報、撮影補助データが切り替えられる例を示したもので、（ａ）は地図のどの部分が表示されるかを示すための地図情報２３を示した図、（ｂ）〜（ｄ）は実際にカメラ１０の表示部１９に表示される表示例を示した図である。
【図４】本発明の第２の実施形態に於いてカメラとサーバが通信を行う場合の撮影（情報取得及び表示）の動作について説明するもので、カメラ側の動作を説明するためのフローチャートである。
【図５】本発明の第２の実施形態に於いてカメラとサーバが通信を行う場合の撮影（情報取得及び表示）の動作について説明するもので、サーバ側の動作を説明するためのフローチャートである。
【図６】本発明の第２の実施形態の変形例に於いてカメラとサーバが通信を行う場合の撮影（情報取得及び表示）の動作について説明するもので、カメラ側の動作を説明するためのフローチャートである。
【図７】本発明の第２の実施形態の変形例に於いてカメラとサーバが通信を行う場合の撮影（情報取得及び表示）の動作について説明するもので、サーバ側の動作を説明するためのフローチャートである。
【符号の説明】
【００７５】
１…カメラシステム、１０…カメラ、１１…制御部、１１ａ…表示情報切替部、１２…撮影部、１３…時計部、１４…記録部、１４ａ…データベース、１５…操作部、１５ａ…操作判定部、１７…現在位置検出部、１８…目的地情報部、１９…表示部、２０…通信部、２２…ポスター、２３、２３ａ、２３ｂ、２３ｃ…地図情報、２４…丸印、２５ａ、２５ｂ、２５ｃ、２５ｄ、２５ｅ…星印、２７ａ、２７ｂ、２７ｃ…画像、３５…ネットワーク、４０…サーバ（ウェブサーバ）。
【図１】
2010141432.tif 000003
【図２】
2010141432.tif 000004
【図３】
2010141432.tif 000005
【図４】
2010141432.tif 000006
【図５】
2010141432.tif 000007
【図６】
2010141432.tif 000008
【図７】
2010141432.tif 000009